(57)【要約】  【課題】    商品陳列装置の陳列用棚を簡単で奇麗に水平状に支持できて、陳列する商品に違和感が生じなく外観を体裁よくすることにある。  【解決手段】    商品陳列用のパネルや支柱５等に陳列用棚８等を水平に取り付けて商品を陳列する商品陳列装置であって、上記パネルや支柱５等に陳列用棚８等を水平に支持可能に所定長さの支持材６を水平に設けるとともにこの支持材６に陳列用棚８を搭載するブラケット７の後端部を挿着して支持する装着部１０を支持材６にそって設け、上記支持材６の装着部１０にブラケット７を挿入して水平状としたときにブラケット１の後部に設けた凹み部１７に支持材６に突設した係止部１６を係合して所定間隔に設置する複数のブラケット７に陳列用棚８を架設するように形成している。支持材６にブラケット７を挿着する装着部１０を支持材６の全長にわたって配設し、ブラケット７を支持材６の任意の位置に挿入してブラケット７を水平状に装着部１０に係止できる。【選択図】        図１
2005111099.tif 000002
【特許請求の範囲】
【請求項１】
商品陳列用のパネルや支柱等に陳列用棚等を水平に取り付けて商品を陳列する商品陳列
装置であって、
上記パネルや支柱等に陳列用棚等を水平に支持可能に所定長さの支持材を水平に設ける
とともにこの支持材に陳列用棚を搭載するブラケットの後端部を挿着して支持する装着部
を支持材にそって設け、
上記支持材の装着部にブラケットを挿入して水平状としたときにブラケットの後部に設
けた凹み部に支持材に突設した係止部を係合して所定間隔に設置する複数のブラケットに
陳列用棚を水平に架設するように形成したことを特徴とする商品陳列装置。
【請求項２】
支持材にブラケットを挿着する装着部を支持材の全長にわたって配設し、ブラケットを
支持材の任意の位置に挿入してブラケットを水平状に装着部に係止するようにした請求項
１に記載の商品陳列装置。
【請求項３】
商品陳列用のパネルや支柱等に陳列用棚等を水平に取り付けて商品を陳列する商品陳列
装置であって、
上記パネルや支柱等にアルミニウム板やアクリル板等の陳列用棚を支持可能に所定長さ
の支持材を水平状に設けるとともにこの支持材に陳列用棚の後端部を挿着して支持する装
着部を支持材にそって設け、
上記支持材の装着部に陳列用棚を挿入して水平状としたときに陳列用棚の後部に設けた
凹み部に支持材に突設した係止部を係合して陳列用棚を水平に架設するように形成したこ
とを特徴とする商品陳列装置。
【請求項４】
支持材をアルミニウム合金等で一体的に形成して、その中央部分に一体形成して凹設し
た装着部にブラケットまたは陳列用棚を係止する係止部をブラケットまたは陳列用棚を挿
入して水平状としたときに係止可能に突設した請求項１ないし３のいずれかに記載の商品
陳列装置。
【発明の詳細な説明】
【技術分野】
【０００１】
本発明は、商品展示分野における商品陳列棚をパネルや支柱等に簡単に支持できる商
品陳列装置に関するものである。
【背景技術】
【０００２】
従来、デパートやショッピングストアー、マーケットでは、店内の壁面や支柱に棚受
けやハンガーを取着して所要の商品等を搭載したり、吊り下げて陳列したり、展示したり
している。
【０００３】
しかし、従来の棚やハンガーの陳列装置では、装置の支持部材や補強部材が目ざわり
となって売場の商品やデザインの邪魔となり、特に高級ブランド販売店では売場の商品や
デザインの邪魔にならずに、もっと売場のブランド商品の機能やデザインを十分に発揮す
るように機能できる商品陳列装置が要望されていた。
【０００４】
そのため、商品陳列用のパネルや支柱等に商品等に対して目ざわりなく、ブラケット
やハンガー、棚等を取り付けて商品を吊り下げたり、搭載したりして陳列する商品陳列装
置を開発してきている。
【０００５】
しかし、従来の装置は、パネルや支柱等に断面が四角形状のブラケットを挿脱して棚
を搭載するため、簡単に組み立てられて模様替えも容易にできるが、隣接するブラケット
に搭載する棚等の高さが微妙に相違する場合が生じて、ブラケットの高さの調整に手間が
かかっていた。そのため、より一層簡単かつ商品陳列棚の外観を良好にできる商品陳列装
置が望まれるものであった。
【０００６】
そこで、陳列棚について特許調査した結果、実開昭４８−６０８２０号公報、特開２
００３−３８３０９号公報などが検索された。しかし、上記実開昭４８−６０８２０号公
報は、支柱の前面に等間隔で開孔した角孔に棚受をその後部に突設したＬ状係止片と突起
を挿入して装着するものである。また、特開２００３−３８３０９号公報は、本件出願人
による出願のもので、商品陳列用のパネルや支柱に等間隔で膨出状の支持孔を開孔し、こ
の支持孔に断面が膨出状のブラケット等の後部の係止部を挿入して、ブラケット等を片持
梁状に係止して陳列棚などを水平状に搭載するものである。
【特許文献１】実開昭４８−６０８２０号公報
【特許文献２】特開２００３−３８３０９号公報
【０００７】
しかし、これらにあっては、商品陳列用のブラケット等をパネルや支柱に等間隔等の
離散的に開孔した支持孔に挿入するので、装着したブラケットに陳列棚を架設すると、陳
列棚が水平にならなかったり、隣接する陳列棚に段差が生じる場合があった。そのため、
ブラケットの高さを個々に調整する必要が生じて、組み立てに手間がかかるものであった
。
【発明の開示】
【発明が解決しようとする課題】
【０００８】
したがって、本発明の解決しようとする課題は、商品陳列装置の陳列用棚を奇麗に水
平にパネルや支柱に迅速かつ簡単に組み立てられるようにすることにある。
【課題を解決するための手段】
【０００９】
本発明は、上記のような点に鑑みたもので、上記の課題を解決するために、商品陳列
用のパネルや支柱等に陳列用棚等を水平に取り付けて商品を陳列する商品陳列装置であっ
て、上記パネルや支柱等に陳列用棚等を水平に支持可能に所定長さの支持材を水平に設け
るとともにこの支持材に陳列用棚を搭載するブラケットの後端部を挿着して支持する装着
部を支持材にそって設け、上記支持材の装着部にブラケットを挿入して水平状としたとき
にブラケットの後部に設けた凹み部に支持材に突設した係止部を係合して所定間隔に設置
する複数のブラケットに陳列用棚を水平に架設するように形成したことを特徴とする商品
陳列装置を提供するものである。
【００１０】
また、支持材にブラケットを挿着する装着部を支持材の全長にわたって配設し、ブラ
ケットを支持材の任意の位置に挿入してブラケットを水平状に装着部に係止するようにし
た商品陳列装置を提供するものである。
【００１１】
さらに、商品陳列用のパネルや支柱等に陳列用棚等を水平に取り付けて商品を陳列す
る商品陳列装置であって、上記パネルや支柱等にアルミニウム板やアクリル板等の陳列用
棚支持可能に所定長さの支持材を水平状に設けるとともにこの支持材に陳列用棚の後端部
を挿着して支持する装着部を支持材にそって設け、上記支持材の装着部に陳列用棚を挿入
して水平状としたときに陳列用棚の後部に設けた凹み部に支持材に突設した係止部を係合
して陳列用棚を水平に架設するように形成したことを特徴とする商品陳列装置を提供する
ものである。
【００１２】
またさらに、支持材をアルミニウム合金等で一体的に形成して、その中央部分に一体
形成して凹設した装着部にブラケットまたは陳列用棚を係止する係止部をブラケットまた
は陳列用棚を挿入して水平状としたときに係止可能に突設した商品陳列装置を提供するも
のである。
【発明の効果】
【００１３】
本発明の商品陳列装置は、パネルや支柱等に陳列用棚等を水平に支持可能に所定長さ
の支持材を水平に設けるとともにこの支持材に陳列用棚を搭載するブラケットの後端部を
挿着して支持する装着部を支持材にそって設け、上記支持材の装着部にブラケットを挿入
して水平状としたときにブラケットの後部に設けた凹み部に支持材に突設した係止部を係
合して所定間隔に設置する複数のブラケットに陳列用棚を水平に架設するように形成した
ので、パネルや支柱等に水平に取り付けた支持材の装着部にブラケットを所望の間隔で挿
入して係止することでブラケットをそれぞれ同一高さで水平に係止でき、このブラケット
に陳列用棚を架設することによって迅速かつ簡単に陳列用棚を水平に組み立てることがで
き、店内を奇麗にできて陳列する商品に違和感が生じなく陳列することができる。
【００１４】
そして特に、支持材にブラケットを挿着する装着部を支持材の全長にわたって配設し
、ブラケットを支持材の任意の位置に挿入してブラケットを水平状に装着部に係止するこ
とによって、水平に取り付けた支持材の装着部の任意の位置にブラケットを挿入しても、
常に水平に設置できる。
【００１５】
また、パネルや支柱等にアルミニウム板やアクリル板等の陳列用棚を支持可能に所定
長さの支持材を水平状に設けるとともにこの支持材に陳列用棚の後端部を挿着して支持す
る装着部を支持材にそって設け、上記支持材の装着部に陳列用棚を挿入して水平状とした
ときに陳列用棚の後部に設けた凹み部に支持材に突設した係止部を係合して陳列用棚を水
平に架設するように形成したことによって、上記のように支持材にアルミニウム板やアク
リル板等の陳列用棚を迅速かつ簡単に水平に組み立てることができ、店内を奇麗にできて
陳列する商品に違和感が生じなく陳列することができる。
【００１６】
そして、支持材をアルミニウム含金等で一体的に形成して、その中央部分に一体形成
して凹設した装着部にブラケットまたは陳列用棚を係止する係止部をブラケットまたは陳
列用棚を挿入して水平状としたときに係止可能に突設することによって、上記した支持材
を押し出し加工等で一体的に形成することができて、上記のように組み立てることができ
る。
【発明を実施するための最良の形態】
【００１７】
本発明の商品陳列装置は、商品陳列用のパネルや支柱等に陳列用棚等を水平に取り付
けて商品を陳列する商品陳列装置であって、上記パネルや支柱等に陳列用棚等を水平に支
持可能に所定長さの支持材を水平に設けるとともにこの支持材に陳列用棚を搭載するブラ
ケットの後端部を挿着して支持する装着部を支持材にそって設け、上記支持材の装着部に
ブラケットを挿入して水平状としたときにブラケットの後部に設けた凹み部に支持材に突
設した係止部を係合して所定間隔に設置する複数のブラケットに陳列用棚を水平に架設す
るように形成したことを特徴としている。
【００１８】
商品陳列装置１は、高級ブランド販売店等の店内やショーウインドー等に設置される
もので、図１のように化粧板やクロス貼り等の表装仕上げのパネル２の内側の上下に下枠
３と上枠４とを配置し、この下枠３と上枠４の間に剛直な角パイプ等の支柱５を所定の間
隔で立設し、この支柱５の所定の高さに水平に支持材６を取着し、この支持材６にブラケ
ット７を片持梁状に挿着してこの複数のブラケット７に陳列用棚８を水平に架設し、所要
の商品を搭載して陳列したり、展示できるようにするものである。
【００１９】
上記支柱５は、図１、図２のように鉄や鋼、アルミニウム合金等の角パイプやチャン
ネル材、アングル材（これらにあってはパイプ状、チャンネル状、アングル状としたもの
を含む）の剛直なものを使用し、その前面側に支柱材６を水平に固定具９で取り付け、支
柱材６に設けた水平な装着部１０にブラケット７の後部を挿入して水平に支持できるよう
にしている。
【００２０】
上記支柱材６は、軽量なアルミニウム合金材等を押出加工等で、図２、図３のように
所定長さに一体形成していて、支持本体１１の上下の側部に空洞状の２条の水平片１２、
１３をブラケット７の厚さの間隙で平行に突設して装着部１０を形成していて、支持本体
１１に開孔した取付孔１４を介して支柱５等にボルト等の固定具９で取着して水平に配設
できるようにしている。
【００２１】
上記支持材６の装着部１０は、図２、図３（ａ）、（ｂ）のように鉄鋼材やステンレ
ス鋼等の強度のあるブラケット７の後部をやや斜め上方側から挿入できるように上側の水
平片１２の内側前方および下側の水平片１３の内側後方側を傾斜面１５として、この装着
部１０に挿入したブラケット７が抜け出ないように上側の水平片１２の内側後部に係止部
１６を突き出し、ブラケット７の後部上側に凹設した凹み部１７に嵌入してブラケット７
を水平とした状態ではブラケット７が抜け出ないように水平に係止できるようにしている
。
【００２２】
上記係止部１６は、たとえば図２のように支持材６の上側の水平片１２の内側部を押
出加工時に一体的に凹設して、この凹設部１８に支持材６と同一長さの鉄鋼材やステンレ
ス鋼材などの断面Ｔ字状の係止部１６を挿脱可能に嵌入して形成できる。しかし、図４の
ように支持材６の水平片１２の内側に押出加工時に一体的に係止部１６を突設することも
でき、その形状としてはブラケット７を容易に挿入できて抜け止めできるものであればよ
く、円弧断面形状や楕円弧断面形状等とすることができる。
【００２３】
このようにして水平に取り付けた支持材６の装着部１０の任意の位置にブラケット７
を所望の間隔で挿入して、ブラケット７を支持材６の水平な装着部１０に同一の高さに水
平状に容易かつ正確に設置することができ、図１のように陳列用棚８を迅速かつ簡単に水
平に組み立てることができ、店内を奇麗にできて陳列する商品に違和感が生じなく陳列す
ることができる。
【００２４】
なお、図５、図６のように上記した商品陳列装置１の支持材６に、上記のようなブラ
ケット７を介さずに直接に陳列用棚８を挿着して支持するようにもできる。
【００２５】
上記陳列用棚８は、アルミニウムやアルミニウム合金板、アクリル板、檜材や欅材、
化粧板等の板材を上記ブラケット７と同じ厚さで、９００〜２７００ｍｍ幅の所要寸法の
矩形板状に形成していて、その後部の上面側に図６のようにブラケット７と同様の凹み部
１７を陳列用棚８の全長にわたって凹設している。
【００２６】
上記した支持材６の装着部１０の間隙としては、ブラケット７や陳列用棚８の厚さよ
りも０．０５〜０．１ｍｍ程広く、またその深さとしては２０〜３０ｍｍとすることがで
きる。上記した隙間が、０．０５ｍｍより狭いと商品陳列装置１を組み立てるときにブラ
ケット７や陳列用棚８を支持材６の装着部１０に挿入しにくくなり、また０．１ｍｍより
広くなると挿入しやすくなるが、ガタツキやすくなって好ましくない。装着部１０の間隙
を０．０５〜０．１ｍｍ程度が適当な密着状態になって効果的なものにできる。また、装
着部１０の奥行としては、２０〜３０ｍｍ位がブラケット７や陳列用棚８を安定して水平
状に支持できるもので、２０ｍｍより浅いと安定性に欠け、３０ｍｍより深くてもよいが
、支持材６が大きくなって経済的でなくなり、２０〜２５ｍｍ位が好ましい。
【００２７】
陳列用棚８は、たとえばアルミニウム材やアルミニウム合金材の場合、軽量で十分に
強度を有するものとでき、その外観を美麗に保つように表面処理を施して使用することが
でき、特に表面にアルマイト等の所要の色彩の表面加工を施すことができる。なお、アク
リル板や強化ガラス板の場合は適宜な着色を施したものとすることもできる。特にガラス
板の場合は、後部に凹み部を設けたアルミ押し出し板に装着したりして使用することがで
きる。
【実施例】
【００２８】
図１〜図３は、本発明の一実施例を示したものである。商品陳列装置１は、図１のよ
うに店内の壁等のパネル２の内側に立設した支柱５に１００ｍｍピッチの所定の間隔で２
列状にねじ孔２０を開孔し、このねじ孔２０にビス等の固定具９を螺着して支持材６を水
平に取り付け、支持材６の装着部１０にブラケット７を適宜の間隔で水平に差し込んで支
持するようにしたものである。
【００２９】
支柱５は、鉄製の２．３ｍｍ厚さ、３０×５０ｍｍ角パイプの前面に図１のように５ｍｍ
径のねじ孔２０を設け、支持材６は軽量なアルミニウム材で図１〜図３のように支持本体
１１に２条の水平片１２、１３をブラケット７の厚さのほぼ１０ｍｍの間隙で深さを２５
ｍｍとして平行状に一体的に押し出し成形で形成し、この支持本体１１の上下に開孔した
取付孔１４にボルトの固定具９を挿通して支持材６を支柱５間に強固に水平に架設できる
ようにしている。
【００３０】
ブラケット７は、１０×１５ｍｍの断面角状のステンレス鋼材の３５０ｍｍ長さとし
たもので、その後部に５ｍｍ幅、３ｍｍ深さの凹み部１７を設けて、図２のように上記し
た支持材６にやや上方側から装着部１０に挿入して水平にすると、水平片１３の凹設部１
８に嵌入して、突設した係止部１６に嵌合して抜け出さなくできる。
【００３１】
ラケット７は、水平な長さの支持材６の装着部１０に上記のように所定の間隔で設置する
ため、各ブラケット７を同一高さに正確に水平に支持できて、陳列用棚８を水平に架設で
きる。このようにしてブラケット７、陳列用棚８を迅速かつ簡単に水平に組み立てること
ができ、店内を奇麗にできて陳列する商品に違和感が生じなく陳列することができる。
【００３２】
なお、図４のように支持材６の水平片１２の内側に、押出加工時に一体的に係止部１
６を突設することもできる。
【００３３】
図５、図６は、本発明の他の実施例で、商品陳列装置１の支持材６にブラケット７を
介さずに直接に陳列用棚８を挿着して支持するようにもできる。上記陳列用棚８は、アル
ミニウム合金板を上記ブラケットと同じ厚さで１８００ｍｍ幅の矩形板状で、その後部の
上面側に図６のようにブラケットと同様の凹み部１７を陳列用棚８の全長にわたって凹設
したものである。
【００３４】
上記した支持材６の装着部１０の間隙としては、ブラケット７や陳列用棚８の厚さよ
りも０．１ｍｍ広く、またその深さとしては２５ｍｍとし、適当な密着状態になって水平
に支持できるものとしている。なお、商品陳列装置の上段、中段、下段にブラケット、陳
列用棚等を併用して所要の商品を陳列するようにもできる。
【００３５】
本発明の商品陳列装置は、上記したように高級ブランド販売店や店内の改装時に支持
用の壁面を構築する際に適用されるが、デパート、ショッピングストアー、その他の店に
も適用可能であり、さらにパネルの内側に支柱を設けるものに限らず、パネルや支柱等を
安定して立設することができれば、そのパネルや支柱等に上記したようにして本発明を実
施することもできるものである。
【図面の簡単な説明】
【００３６】
【図１】本発明の一実施例の施工状態説明用の一部省略した斜視図、
【図２】同上のブラケットの係止状態説明用の拡大側断面図、
【図３】同上の支持材の一部省略した正面図（ａ）と側面図（ｂ）、
【図４】同上の支持材の他の実施例の側面図、
【図５】同上の商品陳列装置の他の実施例の施工状態説明用の一部省略した斜視図、
【図６】同上陳列用棚の係止状態の説明用拡大側断面図。
【符号の説明】
【００３７】
１…商品陳列装置    ２…パネル        ５…支柱              ６…支持材
７…ブラケット      ８…陳列用棚    １０…装着部    １２、１３…水平片
１６…係止部        １７…凹み部
【図１】
2005111099.tif 000003
【図２】
2005111099.tif 000004
【図３】
2005111099.tif 000005
【図４】
2005111099.tif 000006
【図５】
2005111099.tif 000007
【図６】
2005111099.tif 000008